(57)【要約】【課題】表示装置が対応する映像フォーマットに従う映像の規格とは異なる規格に準拠する映像信号が示す映像を、当該表示装置に適切に表示させる。【解決手段】映像信号を取得する変換部（２４）と、テレビジョン受像機（３）が対応する映像フォーマットを示す規格情報を取得するＴＶ情報取得部（２２）とを備え、変換部（２４）が取得した映像信号を規定する第１の映像フォーマットが、ＴＶ情報取得部（２２）が取得した規格情報の示す第２の映像フォーマットと異なる場合に、変換部（２４）は、第１の映像フォーマットを第２の映像フォーマットに変換することによって、上記映像信号を変換する。【選択図】図１
2019047223.tif 000002
【特許請求の範囲】
【請求項１】
映像信号を取得する映像信号取得部と、
表示装置が対応する映像フォーマットを示す規格情報を取得する規格情報取得部と、
映像信号取得部が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換部と
を備えていることを特徴とする変換装置。
【請求項２】
上記変換部による映像フォーマットの変換には、上記映像信号に含まれるメタデータを書き換えることによって、上記第２の映像フォーマットのメタデータを生成する処理が含まれることを特徴とする請求項１に記載の変換装置。
【請求項３】
上記変換部による映像フォーマットの変換には、上記映像信号に含まれる画像データを変換することによって、上記第２の映像フォーマットに準拠した画像データを生成する処理が含まれることを特徴とする請求項１又は２に記載の変換装置。
【請求項４】
当該変換装置の出力信号として準拠する、映像フォーマットに従う複数の映像の規格を示す情報を、表示装置に供給する規格情報供給部をさらに備え、
上記規格情報取得部は、何れの映像フォーマットに従う映像の規格が選択されたのかを示す選択情報をさらに取得し、
上記変換部は、上記映像信号を、上記規格情報取得部が取得した選択情報の示す映像の規格の映像信号となるよう変換する、
ことを特徴とする請求項１〜３の何れか１項に記載の変換装置。
【請求項５】
映像フォーマットに従う複数の映像の規格の各々に対応した信号を送信可能な送出機から上記映像信号を取得する受信部を更に備え、
上記映像信号が、上記変換部によって上記表示装置が準拠する映像フォーマットに従う映像の規格に変換可能な信号でない場合に、上記受信部は、上記表示装置が準拠する映像フォーマットに従う映像の規格に変換可能な信号を取得する、
ことを特徴とする請求項１〜４の何れか１項に記載の変換装置。
【請求項６】
映像信号を取得する映像信号取得ステップと、
表示装置が対応する映像フォーマットを示す規格情報を取得する規格情報取得ステップと、
上記映像信号取得ステップにおいて取得した上記映像信号を規定する第１の映像フォーマットが、上記規格情報取得ステップにおいて取得した規格情報の示す第２の映像フォーマットと異なる場合に、上記第１の映像フォーマットを上記第２の映像フォーマットに変換することによって、上記映像信号を変換する変換ステップと
を含むことを特徴とする変換方法。
【請求項７】
映像信号を取得する映像信号取得部と、
表示制御部が対応する映像フォーマットを示す規格情報を取得する規格情報取得部と、
映像信号取得部が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換部と
を備えていることを特徴とする表示装置。
【請求項８】
請求項１に記載の変換装置としてコンピュータを機能させるためのプログラムであって、上記映像信号取得部、上記規格情報取得部、および上記変換部としてコンピュータを機能させるためのプログラム。
【請求項９】
請求項８に記載のプログラムを記録したコンピュータ読み取り可能な記録媒体。
【発明の詳細な説明】
【技術分野】
【０００１】
本発明は、映像信号を変換する変換装置、変換方法、表示装置、当該変換装置としてコンピュータを機能させるためのプログラム、および当該プログラムを記録した記録媒体に関する。
【背景技術】
【０００２】
表示装置が画像を高輝度、高コントラスト化して表示する技術の１つとして、従来の標準ダイナミックレンジ（ＳＤＲ（Standard Dynamic Range））より広いダイナミックレンジを有する高ダイナミックレンジ映像（ＨＤＲ（High Dynamic Range））の信号がある。ＨＤＲ信号では、高輝度・高コントラスト化が可能であるため、映像の迫力を増大させることができる。そのため、ＨＤＲ信号に関連した技術が開発されている。
【０００３】
例えば、特許文献１には、受信したＨＤＲ画像系列からＳＤＲ画像系列を生成し、生成したＳＤＲ画像系列を符号化したＳＤＲ画像系列を復号化してＨＤＲ画像系列を生成し、生成したＳＤＲ画像系列およびＨＤＲ画像系列から生成したＨＤＲ残像データを受信側へ伝送する符号化方法が開示されている。
【先行技術文献】
【特許文献】
【０００４】
【特許文献１】特開２０１０−２１３３６０号公報（２０１０年９月２４日公開）
【発明の概要】
【発明が解決しようとする課題】
【０００５】
現在、ＨＤＲ信号の規格（ＨＤＲ規格）として、ＳＭＰＴＥ（Society of Motion Picture and Television Engineers）  ＳＴ−２０８４、ＡＲＩＢ  ＳＴＤ−Ｂ６７などといった複数の規格が存在している。このような複数のＨＤＲ規格の間では、採用するＥＯＴＦ（Electro-Optical Transfer Function）などが異なっている。そのため、表示装置が準拠するＨＤＲ規格と異なるＨＤＲ規格に準拠した映像信号が入力された場合、適切な画像が表示されないという問題がある。上述の特許技術１は、この問題の解決策を提示しているものではない。
【０００６】
本発明は、前記の問題点に鑑みてなされたものであり、その目的は、表示装置が対応する映像フォーマットに従う映像の規格とは異なる規格に準拠する映像信号が示す映像を、当該表示装置に適切に表示させる技術を提供することにある。
【課題を解決するための手段】
【０００７】
上記の課題を解決するために、本発明の一態様に係る変換装置は、映像信号を取得する映像信号取得部と、表示装置が対応する映像フォーマットを示す規格情報を取得する規格情報取得部と、映像信号取得部が取得した上記映像信号を規定する第１の映像フォーマットが、上記規格情報取得部が取得した規格情報の示す第２の映像フォーマットと異なる場合に、上記第１のフォーマットを上記第２のフォーマットに変換することによって、上記映像信号を変換する変換部と、を備えている。
【０００８】
上記の課題を解決するために、本発明の一態様に係る変換方法は、映像信号を取得する映像信号取得ステップと、表示装置が対応する映像フォーマットを示す規格情報を取得する規格情報取得ステップと、映像信号取得部が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換ステップとを含んでいる。
【０００９】
上記の課題を解決するために、本発明の一態様に係る表示装置は、映像信号を取得する映像信号取得部と、表示制御部が対応する映像フォーマットを示す規格情報を取得する規格情報取得部と、映像信号取得部が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換部とを備えている。
【発明の効果】
【００１０】
本発明の一態様によれば、表示装置が対応する映像フォーマットに従う映像の規格とは異なる規格に準拠する映像信号が示す映像を、当該表示装置に適切に表示させることができる。
【図面の簡単な説明】
【００１１】
【図１】本発明の実施形態１に係る実施形態１に係る表示システムの要部構成を示すブロック図である。
【図２】本発明の実施形態１におけるＴＶ３の外観を示す図である。
【図３】本発明の実施形態１に係る実施形態１に係る表示システムが実行する処理の流れを示すフローチャートである。
【図４】本発明の実施形態１におけるＥＯＴＦ（Electro-Optical Transfer Function）の例を示すグラフである。
【図５】本発明の実施形態１におけるメタデータの書き換えの例を示す図である。
【発明を実施するための形態】
【００１２】
〔実施形態１〕
以下、本発明の実施の形態について、図１〜図４に基づいて詳細に説明する。
【００１３】
（表示システム１００）
図１は、実施形態１に係る表示システム１００の要部構成を示すブロック図である。図１に示すように、表示システム１００は、セットトップボックス１（変換装置、以下、「ＳＴＢ１」と称する場合もある）、テレビジョン受像機３（表示装置、以下、「ＴＶ３」と称する場合もある）、および送出機７によって構成されている。ＳＴＢ１とＴＶ３とは、ＨＤＭＩ（登録商標）（High-Definition Multimedia Interface：高精細度マルチメディアインターフェース）接続している。表示システム１００では、送出機７が出力する映像信号を、ＴＶ３はＳＴＢ１を介して取得し、取得した映像信号に基づく映像を表示する。本明細書では、映像フォーマットの例としてＨＤＲを用いて説明する。また以下では、映像フォーマットに従う映像の規格を、「ＨＤＲ規格」と称する場合もある。表示システム１００は、送出機７が出力する映像信号が準拠するＨＤＲ規格と、ＴＶ３が対応する（以下、「ＴＶ３が準拠する」とも称する場合がある）ＨＤＲ規格とが異なっている場合であっても、ＴＶ３は適切な画像を表示することができるシステムである。
【００１４】
ＨＤＲ規格として、例えば、ＳＭＰＴＥ（Society of Motion Picture and TelevisionEngineers）ＳＴ．２０８４−２０１４、ＣＴＡ（Consumer Technology Association）
−８６１−Ｆなどにより規定される映像フォーマットがある。また、ＳＤＲ規格として、例えば、Ｒｅｃ．ＩＴＵ−Ｒ  ＢＴ．７０９により規格される映像フォーマットがある。
【００１５】
なお、本明細書では、ＨＤＲ規格の例としてＳＭＰＴＥ  ＳＴ−２０８４およびＡＲＩＢ  ＳＴＤ−Ｂ６７を用いているが、本発明はこれに限定されない。
【００１６】
（ＳＴＢ１）
ＳＴＢ１は、送出機７から、ＨＤＲ規格に準拠した、出力対象の映像信号を取得し、当該出力対象の映像信号を、ＴＶ３が対応するＨＤＲ規格の映像信号となるように映像信号を変換し、変換した映像信号をＴＶ３に出力する変換装置である。ＴＶ３は、映像フォーマットを示す規格情報を含むＥＤＩＤを出力する。ＳＴＢ１は、ＴＶ３が出力したＥＤＩＤを読み取り、ＴＶ３が対応する映像フォーマットを判定する。なお、「出力対象の映像信号」とは、ＳＴＢ１に入力された映像信号であるため、「出力対象の映像信号」を「入力映像信号」と称する場合もある。ＳＴＢ１は、図１に示すように、第１のＳＴＢ通信部１２、ＳＴＢ制御部１４、および第２のＳＴＢ通信部１６を備えている。
【００１７】
第１のＳＴＢ通信部１２は、送出機７から出力された入力映像信号を取得するインターフェースである。
【００１８】
第２のＳＴＢ通信部１６は、ＴＶ３と通信するインターフェースである。
【００１９】
ＳＴＢ制御部１４は、ＳＴＢ１の各部を統括的に制御する。ＳＴＢ制御部１４の詳細について、以下に説明する。
【００２０】
（ＳＴＢ制御部１４）
ＳＴＢ制御部１４は、図１に示すように、ＴＶ情報取得部２２（規格情報取得部）、変換部２４（映像信号取得部、変換部）、判定部２６、出力部２８、および規格情報供給部２９を備えている。
【００２１】
ＴＶ情報取得部２２は、ＴＶ３から出力されたＴＶ３に関する情報を取得する。ＴＶ３に関する情報として、少なくともＴＶ３が対応する映像フォーマットを示す規格情報を含む。ＴＶ３が対応する映像フォーマットを示す規格情報の例として、ＴＶ３が準拠するＨＤＲ規格を示す規格情報が挙げられる。
【００２２】
判定部２６は、ＴＶ３から取得した規格情報が示すＴＶ３が対応する第２の映像フォーマットである映像フォーマットと、入力映像信号を規定する第１の映像フォーマットである映像フォーマットとが一致するか否かを判定する。
【００２３】
変換部２４は、第１のＳＴＢ通信部１２が取得した映像信号を規定する映像フォーマットが、ＴＶ情報取得部２２が取得した規格情報の示す映像フォーマットと異なる場合に、映像フォーマットを変換することによって、映像信号を変換する。本実施形態において、映像フォーマットの変換とは、映像信号のメタデータの書き換え、および映像信号に含まれる画像データの書き換えを含む。すなわち、映像フォーマットの変換により、映像信号を完全に別の映像フォーマットに変換する。映像信号のメタデータが書き換えされていない場合、ＴＶ３は映像信号を認識することができない。このため、本実施形態においては映像フォーマットを変換する。
【００２４】
変換部２４は、符号化されている第１のＳＴＢ通信部１２が取得した映像信号を復号し、映像信号を変換し、変換後の映像信号を符号化する。変換部２４は、画像データの書き換えにおいては、画素毎の値を逐一変換する。
【００２５】
出力部２８は、変換部２４が変換した映像信号を、出力データとしてＴＶ３に出力する。
【００２６】
規格情報供給部２９は、変換部２４が、出力信号として準拠するＨＤＲ規格を示す情報を、ＴＶ３に出力する。
【００２７】
（ＴＶ３）
ＴＶ３は、ＳＴＢ１から出力された映像信号を取得し、当該映像信号に基づいた映像を表示する表示装置である。ＴＶ３は、図１に示すように、ＴＶ通信部３２、ＴＶ制御部３４、表示部３６、および操作受付部３８を備えている。
【００２８】
ＴＶ通信部３２は、ＳＴＢ１と通信するインターフェースである。
【００２９】
表示部３６は、映像信号が示す映像を表示するディスプレイデバイスである。
【００３０】
操作受付部３８は、ユーザの操作を受け付け、当該操作を示す操作情報を出力する。
【００３１】
ＴＶ制御部３４は、ＴＶ３の各部を統括的に制御する。ＴＶ制御部３４の詳細について、以下に説明する。
【００３２】
（ＴＶ制御部３４）
ＴＶ制御部３４は、図１に示すように、ＴＶ情報管理部４２および表示制御部４４を備えている。
【００３３】
ＴＶ情報管理部４２は、ＴＶ３に関する情報を管理する。
【００３４】
表示制御部４４は、取得した映像信号が示す映像を表示部３６に表示させる。
【００３５】
（送出機７）
送出機７は、１または複数の映像フォーマットの各々に対応した映像信号を送信可能である。送出機７は、例えば、Ｂｌｕ−ｒａｙ（登録商標）ディスクプレーヤ、コンテンツサーバ（オンデマンドサーバ）、および放送局などで実現される。また、送出機７は、それぞれ１または複数のＢｌｕ−ｒａｙディスクプレーヤ、コンテンツサーバ、および放送局の組み合わせによって実現されてもよい。
【００３６】
（ＴＶ３の外観）
図２は、実施形態１におけるＴＶ３の外観を示す図である。ＴＶ３は、チューナ（不図示）が示す放送番組を表示するものであるが、本発明では、表示装置として、ＴＶ３に替えて、チューナを備えないディスプレイ装置４（図２の（ａ））、パーソナルコンピュータ５（図２の（ｂ））、または情報端末装置６（図２の（ｃ））で実現してもよい。また、ＴＶ３は、ＳＴＢ１を構成する各部を備える構成であってもよい。この場合、ＴＶ通信部３２は、送出機７から出力された入力映像信号を取得するインターフェースとして機能することができる。また、ＴＶ制御部３４は、変換部２４、および判定部２６としても機能することができる。
【００３７】
（表示システム１００が実行する処理）
図３は、実施形態１に係る表示システム１００が実行する処理の流れを示すフローチャートである。表示システム１００が実行する処理について、図３を用いて説明する。
【００３８】
（ステップＳ２）
まず、ＴＶ３のＴＶ情報管理部４２は、ＴＶ３が準拠する１または複数の映像フォーマットを示す規格情報を、ＴＶ通信部３２を介してＳＴＢ１に出力する。ＴＶ情報管理部４２が規格情報を出力する具体的な例として、ＥＤＩＤ、ＣＥＣによって規格情報を出力する方法が挙げられる。ＳＴＢ１のＴＶ情報取得部２２は、第２のＳＴＢ通信部１６を介して、ＴＶ３から出力された規格情報を取得する。
【００３９】
（ステップＳ４）
ＳＴＢ１の変換部２４は、送出機７から出力される入力映像信号を取得する。なお、ステップＳ２およびステップＳ４が実行される順番は逆であってもよい。
【００４０】
（ステップＳ６）
判定部２６は、ステップＳ２においてＴＶ情報取得部２２が取得した規格情報が示す規格と、ステップＳ４において変換部２４が取得した入力映像信号が準拠する規格とが、一致するか否かを判定する。換言すると、判定部２６は、ステップＳ４において変換部２４が取得した入力映像信号が、ステップＳ２においてＴＶ情報取得部２２が取得した規格情報が示す規格に準拠するものであるか否かを判定する。判定部２６が、入力映像信号は規格情報が示す規格に準拠するものであるか否かを判定する方法の例として、入力映像信号がＨＤＭＩ規格に準拠する場合、入力映像信号に含まれる“ＩＮＦＯ  ＦＲＡＭＥ”の映像信号のメタデータを参照する構成が挙げられる。メタデータは、映像フォーマットを示す情報を含んでいる。
【００４１】
（ステップＳ８）
ステップＳ６において、「規格は一致しない」と判定された場合（ステップＳ６：ＮＯ）、変換部２４は、ステップＳ４において変換部２４が取得した入力映像信号を規定する映像フォーマットを、ステップＳ２においてＴＶ情報取得部２２が取得した規格情報が示す規格に準拠したものとなるように変換することで、映像信号を変換する。なお、変換部２４の具体的な処理の詳細については、後述する。
【００４２】
（ステップＳ１０）
出力部２８は、ステップＳ８の処理の後、変換部２４が変換した後の映像信号を、出力信号として第２のＳＴＢ通信部１６を介してＴＶ３に出力する。また、出力部２８は、ステップＳ６において、「規格は一致する」と判定された場合（ステップＳ６：ＹＥＳ）、ステップＳ４において変換部２４が取得した入力映像信号を、出力信号として第２のＳＴＢ通信部１６を介してＴＶ３に出力する。ＴＶ３の表示制御部４４は、ＳＴＢ１から出力された出力信号を、ＴＶ通信部３２を介して取得する。
【００４３】
（ステップＳ１２）
表示制御部４４は、ステップＳ１０において取得した出力信号が示す映像を、表示部３６に表示する。
【００４４】
（変換部２４の処理）
変換部２４は、映像フォーマットの変換として、映像信号のメタデータの書き換え、および映像信号に含まれる画像データ自身の書き換えをする。
【００４５】
（映像フォーマットの変換の例１）
メタデータの書き換えの一例について、図４を用いて説明する。メタデータは、ＥＯＴＦ（Electro-Optical Transfer Function）を示す情報を含んでいる。図４は、本実施形態におけるＥＯＴＦの例を示すグラフである。図４の（ａ）は、ＳＴＤ−Ｂ６７のＥＯＴＦを示すグラフであり、（ｂ）は、ＳＴ−２０８４のＥＯＴＦを示すグラフであり、（ｃ）は、ＳＤＲ信号のＥＯＴＦを示すグラフである。図４に示すように、各ＨＤＲ規格およびＳＤＲ規格が採用するＥＯＴＦおよびＳＤＲ信号のＥＯＴＦはそれぞれ異なっている。そのため、変換部２４は、取得した入力映像信号におけるＥＯＴＦを、ＴＶ３が準拠するＨＤＲ規格に準拠したＥＯＴＦとなるように書き換える。
【００４６】
上記メタデータの書き換えの例に関連する映像信号の書き換えの例を、ＴＶ３がＳＴＤ−Ｂ６７に準拠し、変換部２４がＳＴ−２０８４に準拠する入力映像信号を取得した場合について説明する。この場合、変換部２４は、入力映像信号の画像データにおいて、表示する輝度を１００ｃｄ／ｍ２に指定された階調値が、最大階調値を１とした場合の０．５に相当する階調値になるよう画像データを書き換える。
【００４７】
画像データの書き換えの他の例として、ＴＶ３がＳＴ−２０８４に準拠し、変換部２４がＳＴＤ−Ｂ６７に準拠する入力映像信号を取得した場合について説明する。この場合、変換部２４は、入力映像信号の画像データにおいて、最大階調値を１とした場合の０．５に相当する階調値が、１００ｃｄ／ｍ２に指定される階調値になるよう画像データを書き換える。
【００４８】
（映像フォーマットの変換の例２）
メタデータの書き換えの他の例について説明する。ここで、メタデータは、コンテンツ毎に定まる静的メタデータと、シーン毎、フレーム毎に動的に変化する動的メタデータとを含む。静的メタデータの書き換えは、処理の最初に行えばよい。また、動的メタデータの書き換えは、シーンの最初、またはフレームの最初に行えばよい。
【００４９】
映像フォーマットに応じて、映像信号のメタデータは異なる。図５の（ａ）を参照して、ＨＤＲ１０に準拠する映像信号のメタデータ、ＢＤＡ（Blu-ray Disc Association）に準拠する映像信号のメタデータ、ＵＨＤＡ（Ultra High Difinition Alliance）に準拠する映像信号のメタデータを比較する。図５の（ａ）に示すように、ＨＤＲ１０、ＢＤＡ、ＵＨＤＡの各々のメタデータは、解像度、フレームレート、色域、ビット深度、ＥＯＴＦ、静的メタデータ、および動的メタデータの項目において共通している。一方で、ＨＤＲ１０、ＢＤＡ、ＵＨＤＡの各々のメタデータは、ＳＤＲ／ＨＤＲ識別、動画コーデック、およびメタデータ伝送の項目が異なる。したがって、図５の（ａ）に示す例においては、映像フォーマットに変換において、変換部２４は、ＳＤＲ／ＨＤＲ識別、動画コーデック、およびメタデータ伝送の各項目を書き換える。
【００５０】
図５の（ｂ）を参照して、ＨＤＲ１０に準拠する映像信号のメタデータと高度化ＢＳに準拠する映像信号のメタデータとを比較する。ＨＤＲ１０に準拠する映像信号のＥＯＴＦはＳＴ−２０８４であり、高度化ＢＳに準拠する映像信号のＥＯＴＦはＳＴＤ−Ｂ６７である。例えば、変換部２４が取得した映像信号が高度化ＢＳに準拠し、ＴＶ３がＨＤＲ１０に準拠する場合、図５の（ｂ）の矢印Ｂ１に示すように、変換部２４は、ＥＯＴＦをＳＴＤ−Ｂ６７からＳＴ−２０８４に書き換える。
【００５１】
また、映像フォーマットによっては、メタデータが設定されていない場合がある。例えば、映像信号がＨＤＲ１０に準拠する場合、静的メタデータとして、ＣＥ−８６１．Ｆで規定されるMastering Display Colour Volumeを含むＳＴ２０８６、ならびにＣＥＡ−８６１．３で規定されるＭａｘ＿ＣＬＬ、およびＭａｘ＿ＦＡＬＬを含む。一方で、映像信号が高度化ＢＳに準拠する場合、これらの静的メタデータを必要としない。したがって、変換部２４が取得した映像信号が高度化ＢＳに準拠し、ＴＶ３がＨＤＲ１０に準拠する場合、図５の（ｂ）の矢印Ｂ２に示すように、変換部２４は、上記静的メタデータを予め定めた任意の値に設定することにより、映像フォーマットを変換する。任意の値の例については後述する。
【００５２】
さらに、変換部２４が取得した映像信号が高度化ＢＳに準拠し、ＴＶ３がＨＤＲ１０に準拠する場合、変換部２４は、光電、電光変換特性を規定する方式を、ＨＬＧ（Hybrid-Log Gamma）に対応させる。
【００５３】
メタデータは、最大輝度に関する情報を含んでいる。各ＨＤＲ規格では、最大輝度を指定する方法も異なる。例えば、ＳＴＤ−Ｂ６７では最大輝度は指定されないが、ＳＴ−２０８４のＤｏｌｂｙ  Ｖｉｓｉｏｎ（登録商標）では、フレーム毎に動的に変化するＭＡＸ＿ＣＬＬとして指定される。また、ＳＴ−２０８４のＤｏｌｂｙ  Ｖｉｓｉｏｎ以外の規格では、映像信号が表すコンテンツにおける最大輝度が固定値でＭＡＸ＿ＣＬＬとして指定される。そこで、変換部２４が、ＴＶ３が出力する最大輝度が、取得した入力映像信号において設定された最大輝度となるように映像フォーマットを変換する処理の例を以下に挙げ、説明する。なお、以下の説明では、ＳＴＢ１が出力映像信号をＨＤＭＩ規格に準拠する映像信号として出力する場合について説明するため、出力映像信号に含まれる“ＩＮＦＯ  ＦＲＡＭＥ”のＭＡＸ＿ＣＬＬを設定する構成について説明するが、本発明の構成はこれに限定されない。
【００５４】
例えば、ＴＶ３がＤｏｌｂｙ  Ｖｉｓｉｏｎに準拠し、変換部２４がＳＴＤ−Ｂ６７に準拠する入力映像信号を取得した場合、変換部２４は、入力映像信号のフレーム毎の最大階調値を、動的に変化するＭＡＸ＿ＣＬＬとして設定することができる。
【００５５】
また、ＴＶ３がＤｏｌｂｙ  Ｖｉｓｉｏｎに準拠し、変換部２４がＳＴＤ−Ｂ６７に準拠する入力映像信号を取得した場合の他の例として、変換部２４は、任意の値をＭＡＸ＿ＣＬＬとして設定することができる。
【００５６】
他の例として、ＴＶ３がＤｏｌｂｙ  Ｖｉｓｉｏｎ以外のＳＴ−２０８４に準拠し、変換部２４がＳＴＤ−Ｂ６７に準拠する入力映像信号を取得した場合、変換部２４は、任意の値をＭＡＸ＿ＣＬＬとして設定することができる。
【００５７】
さらに他の例として、ＴＶ３がＤｏｌｂｙ  Ｖｉｓｉｏｎに準拠し、変換部２４がＤｏｌｂｙ  Ｖｉｓｉｏｎ以外のＳＴ−２０８４に準拠する入力映像信号を取得した場合、変換部２４は、フレーム毎の最大階調値を、動的に変化するＭＡＸ＿ＣＬＬとして設定することができる。
【００５８】
また、ＴＶ３がＤｏｌｂｙ  Ｖｉｓｉｏｎに準拠し、変換部２４がＤｏｌｂｙ  Ｖｉｓｉｏｎ以外のＳＴ−２０８４に準拠する入力映像信号を取得した場合の他の例として、変換部２４は、入力映像信号に含まれるＭＡＸ＿ＣＬＬを、そのままＭＡＸ＿ＣＬＬとして設定することができる。
【００５９】
また、ＴＶ３がＤｏｌｂｙ  Ｖｉｓｉｏｎ以外のＳＴ−２０８４に準拠し、変換部２４がＤｏｌｂｙ  Ｖｉｓｉｏｎに準拠する場合、変換部２４は、任意の値をＭＡＸ＿ＣＬＬとして設定することができる。
【００６０】
なお、任意の値の例として、以下を挙げることができる。
【００６１】
・表示部３６が出力可能な輝度の８０％の値
・１０００ｃｄ／ｍ２などＴＶ３で表現できそうな、一般的に使われている値
・ＭＡＸＣＬＬの最大値
・ゼロ（ゼロとは不適切な値であることが明らかであるので、ＴＶ３において適切な値が設定される。）
また、マスターモニターに関連する情報を参照して、ＭＡＸ＿ＣＬＬとして設定してもよい。
【００６２】
図５の（ｃ）を参照して、ＨＤＲ１０に準拠する映像信号のメタデータとＤｏｌｂｙ  Ｖｉｓｉｏｎに準拠する映像信号のメタデータとを比較する。ＨＤＲ１０に準拠する映像信号のビット深度は１０ビットであり、Ｄｏｌｂｙ  Ｖｉｓｉｏｎに準拠する映像信号のビット深度は１２ビットである。例えば、変換部２４が取得した映像信号がＨＤＲ１０に準拠し、ＴＶ３がＤｏｌｂｙ  Ｖｉｓｉｏｎに準拠する場合、図５の（ｃ）の矢印Ｃ１に示すように、変換部２４は、ビット深度を１０ビットから１２ビットに書き換える。また、映像信号がＨＤＲ１０に準拠する場合、静的メタデータとしてＭａｘ＿ＣＬＬ、Ｍａｘ＿ＦＡＬＬを含む。また、映像信号がＨＤＲ１０に準拠する場合、動的メタデータを含まない。一方、映像信号がＤｏｌｂｙ  Ｖｉｓｉｏｎに準拠する場合、動的メタデータとしてＭａｘ＿ＣＬＬ、Ｍａｘ＿ＦＡＬＬを含む。そこで、図５の（ｃ）の矢印Ｃ２に示すように、変換部２４は、静的メタデータとして設定されているＭａｘ＿ＣＬＬ、Ｍａｘ＿ＦＡＬＬの値を、動的に変化するＭａｘ＿ＣＬＬ、Ｍａｘ＿ＦＡＬＬに書き換える。すなわち、変換部２４は、静的メタデータを動的メタデータに書き換えることができる。また、動的メタデータを静的メタデータに書き換える場合もある。さらに、変換部２４は、図５の（ｃ）の矢印Ｃ３に示すように、動画コーデックを、ＨＥＶＣ  Ｍａｉｎ１０  Ｐｒｏｆｉｌｅ  Ｌｅｖｅｌ５．１からＨＥＶＣデュアルレイヤーに書き換える。
【００６３】
このように、本実施形態に係る表示システム１００では、ＳＴＢ１は、ＴＶ３から規格情報を取得し、出力対象の映像信号が、規格情報が示す規格に準拠するものではないと判定した場合、映像フォーマットを変換することによって、出力対象の映像信号を、規格情報が示す規格に準拠したものとなるよう変換する。そのため、表示システム１００では、ＴＶ３が準拠するＨＤＲ規格とは異なるＨＤＲ規格に準拠した映像信号の映像を、ＴＶ３に適切に表示させることができる。
【００６４】
〔実施形態２〕
本発明の他の実施形態について説明する。なお、説明の便宜上、前記実施形態にて説明した部材と同じ機能を有する部材については、同じ符号を付記し、その説明を省略する。本実施形態では、ＳＴＢ１がＴＶ３に適したＨＤＲ規格を選択する方法について説明する。
【００６５】
（ＨＤＲ規格を選択する方法１）
ＳＴＢ１がＨＤＲ規格を選択する方法の一例について説明する。
【００６６】
まず、ＳＴＢ１において、複数のＨＤＲ規格の各々に優先順位を予め定めておく。そして、ＴＶ３が複数のＨＤＲ規格に準拠する場合（規格情報が複数のＨＤＲ規格を示す場合）、変換部２４は、上述したステップＳ８において、ＴＶ３が準拠するＨＤＲ規格のうち、優先順位が高いＨＤＲ規格に準拠したものとなるよう、入力映像信号を変換する。
【００６７】
このように、ＳＴＢ１において、複数のＨＤＲ規格の各々に優先順位を予め定めておくことにより、ＳＴＢ１は、ＴＶ３が複数のＨＤＲ規格に準拠する場合であっても、入力映像信号を、より適切なＨＤＲ規格の映像信号に変換することができる。
【００６８】
（ＨＤＲ規格を選択する方法２）
ＳＴＢ１がＨＤＲ規格を選択する方法の他の例について説明する。
【００６９】
まず、ＳＴＢ１において、ＴＶ３で設定可能な複数の画質設定の各々に対して、複数のＨＤＲ規格の何れかを関連付けておく。そして、ＴＶ３のＴＶ情報管理部４２は、上述したステップＳ２において、規格情報に加えて、ＴＶ３に設定されている画質設定を示す画質設定情報をさらに出力する。変換部２４は、上述したステップＳ８において、ＴＶ３から取得した画質設定情報が示す画質設定に関連付けられたＨＤＲ規格に準拠したものとなるよう、入力映像信号を変換する。
【００７０】
このように、ＳＴＢ１において、ＴＶ３で設定可能な複数の画質設定の各々に対して、複数のＨＤＲ規格の何れかを関連付けておくことにより、ＳＴＢ１は、ＴＶ３で設定されている画質設定に適したＨＤＲ規格の映像信号に変換することができる。
【００７１】
（ＨＤＲ規格を選択する方法３）
ＳＴＢ１がＨＤＲ規格を選択する方法のさらに他の例について説明する。
【００７２】
まず、ＳＴＢ１において、入力映像信号が表すコンテンツのジャンルの各々に対して、複数のＨＤＲ規格の何れかを関連付けておく。そして、変換部２４は、上述したステップＳ８において、入力映像信号が表すコンテンツのジャンルに関連付けられたＨＤＲ規格に準拠したものとなるよう、入力映像信号を変換する。
【００７３】
このように、ＳＴＢ１において、入力映像信号が表すコンテンツのジャンルの各々に対して、複数のＨＤＲ規格の何れかを関連付けておくことにより、ＳＴＢ１は、入力映像信号を、入力映像信号が表すコンテンツに適したＨＤＲ規格の映像信号に変換することができる。
【００７４】
（ＨＤＲ規格を選択する方法４）
ＳＴＢ１がＨＤＲ規格を選択する方法のさらに他の例について説明する。
【００７５】
まず、ＳＴＢ１の規格情報供給部２９は、第２のＳＴＢ通信部１６を介して、ＳＴＢ１が出力信号として準拠する複数のＨＤＲ規格を示す情報を、ＴＶ３に供給する。
【００７６】
ＴＶ３の表示制御部４４は、上記情報を取得すると、当該情報が示す複数のＨＤＲ規格の何れかをユーザに選択させる画面を、表示部３６に表示させる。そして、操作受付部３８が上記複数の何れのＨＤＲ規格を選択する旨の操作信号を受け付けると、ＴＶ情報管理部４２は、何れのＨＤＲ規格が選択されたのかを示す選択情報を、ＴＶ通信部３２を介して出力する。
【００７７】
ＳＴＢ１のＴＶ情報取得部２２が第２のＳＴＢ通信部１６を介して上記選択情報を取得すると、変換部２４は、上記選択情報の示すＨＤＲ規格信号の映像信号となるように、入力映像信号を変換する。
【００７８】
このように、ＳＴＢ１は、ＳＴＢ１が出力映像信号として準拠する複数のＨＤＲ規格を示す情報を、ＴＶ３に供給する。そして、ＳＴＢ１は、ＴＶ３から、何れのＨＤＲ規格が選択されたのかを示す選択情報を取得する。この構成により、ＳＴＢ１は、入力映像信号を、ユーザが所望するＨＤＲ規格の映像信号に変換することができる。
【００７９】
（ＴＶ３がＨＤＲ規格に準拠しない場合の例）
ＴＶ３がＨＤＲ規格に準拠しない場合の例について説明する。
【００８０】
ＳＴＢ１のＴＶ情報取得部２２が取得したＴＶ３の規格情報が、何れのＨＤＲ規格にも準拠していない場合、変換部２４は、入力映像信号を、ＨＤＲより狭いダイナミックレンジ映像のデータであるＳＤＲ映像信号に変換する。
【００８１】
このように、ＳＴＢ１は、ＴＶ３がＨＤＲ規格の何れにも準拠していない場合に、入力映像信号をＳＤＲ映像信号に変換する。そのため、ＳＴＢ１は、ＨＤＲ規格の何れにも準拠していないＴＶ３に対しても、ＨＤＲ規格に準拠した入力映像信号を、表示可能な映像信号に変換することができる。
【００８２】
〔実施形態３〕
本発明の他の実施形態について説明する。なお、説明の便宜上、前記実施形態にて説明した部材と同じ機能を有する部材については、同じ符号を付記し、その説明を省略する。
【００８３】
上述した実施形態では、ＳＴＢ１は１つのＨＤＲ規格に対応した入力映像信号を取得する構成について説明したが、本実施形態では、ＳＴＢ１が複数のＨＤＲ規格の各々に対応した入力映像信号を取得する構成について説明する。
【００８４】
本実施形態では、ＴＶ３が準拠するＨＤＲ規格が、ＨＤＲ規格２であり、ＳＴＢ１は、ＨＤＲ規格１に準拠した入力映像信号をＨＤＲ規格３に変換でき、また、ＨＤＲ規格４に準拠した入力映像信号をＨＤＲ規格２に変換できる場合を例に挙げ、説明する。
【００８５】
まず、ステップＳ２において、ＴＶ３のＴＶ情報管理部４２は、ＨＤＲ２を示す規格情報を、ＴＶ通信部３２を介してＳＴＢ１に出力する。ＳＴＢ１のＴＶ情報取得部２２は、第２のＳＴＢ通信部１６を介して、ＴＶ３から出力された規格情報を取得する。
【００８６】
続いて、ステップＳ４において、変換部２４は、ＨＤＲ規格１に準拠した入力映像信号を取得する。この場合、ステップＳ６において、判定部２６は、ステップＳ２においてＴＶ情報取得部２２が取得した規格情報が示す規格と、ステップＳ４において変換部２４が取得した入力映像信号が準拠する規格とは、一致しないと判定する。
【００８７】
この場合、ステップＳ８において、変換部２４は、ＨＤＲ規格１に準拠した入力映像信号を、ＴＶ３が準拠するＨＤＲ規格２に準拠した映像信号に変換しようとするものの、本実施形態における変換部２４は、ＨＤＲ規格１に準拠した映像信号をＨＤＲ規格２に準拠した映像信号に変換することはできない。そのため、変換部２４は、ＨＤＲ規格４に準拠した入力映像信号を、送出機７から取得する。変換部２４が送出機７からＨＤＲ規格４に準拠した入力映像信号を取得する方法の例として、送出機７に対して、変換部２４がＨＤＲ規格４に準拠した入力映像信号を要求する構成が挙げられる。
【００８８】
このように、本実施形態におけるＳＴＢ１は、ＴＶ３が準拠するＨＤＲ規格に変換可能でないデータを取得した場合、複数のＨＤＲ規格の各々に対応したデータを送出可能な送出機７から、ＴＶ３が準拠するＨＤＲ規格に変換可能なデータを取得する。そのため、ＳＴＢ１は、ＴＶ３が準拠するＨＤＲ規格に応じて、適切な入力映像信号を取得することができる。
【００８９】
〔ソフトウェアによる実現例〕
ＳＴＢ１の制御ブロック（特にＳＴＢ制御部１４）は、集積回路（ＩＣチップ）等に形成された論理回路（ハードウェア）によって実現してもよいし、ＣＰＵ（Central Processing Unit）を用いてソフトウェアによって実現してもよい。
【００９０】
後者の場合、ＳＴＢ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化され、搬送波に埋め込まれたデータ信号の形態でも実現され得る。
【００９１】
〔まとめ〕
本発明の態様１に係る変換装置（ＳＴＢ１）は、映像信号を取得する映像信号取得部（変換部２４）と、表示装置（ＴＶ３）が対応する映像フォーマットを示す規格情報を取得する規格情報取得部（ＴＶ情報取得部２２）と、映像信号取得部（変換部２４）が取得した上記映像信号を規定する第１の映像フォーマットが、上記規格情報取得部（ＴＶ情報取得部２２）が取得した規格情報の示す第２の映像フォーマットと異なる場合に、上記第１の映像フォーマットを上記第２の映像フォーマットに変換することによって、上記映像信号を変換する変換部２４とを備えている。
【００９２】
上記の構成によれば、表示装置が対応する映像フォーマットに従う映像の規格とは異なる規格に準拠する映像信号が示す映像を、当該表示装置に適切に表示させることができる。
【００９３】
本発明の態様２に係る変換装置（ＳＴＢ１）は、上記態様１において、上記変換部２４による映像フォーマットの変換には、上記映像信号に含まれるメタデータを書き換えることによって、上記第２の映像フォーマットのメタデータを生成する処理が含まれていてもよい。
【００９４】
上記の構成によれば、メタデータが書き換わるので、表示装置（ＴＶ３）は映像信号を認識することができる。
【００９５】
本発明の態様３に係る変換装置（ＳＴＢ１）は、上記態様１または２において、上記変換部２４による映像フォーマットの変換には、上記映像信号に含まれる画像データを変換することによって、上記第２の映像フォーマットに準拠した画像データを生成する処理が含まれていてもよい。
【００９６】
上記の構成によれば、映像信号が示す映像を、表示装置（ＴＶ３）に適切に表示させることができる。
【００９７】
本発明の態様４に係る変換装置（ＳＴＢ１）は、上記態様１〜３の何れかにおいて、当該変換装置（ＳＴＢ１）の出力信号として準拠する、映像フォーマットに従う複数の映像の規格を示す情報を、表示装置に供給する規格情報供給部２９をさらに備え、上記規格情報取得部（ＴＶ情報取得部２２）は、何れの映像フォーマットに従う映像の規格が選択されたのかを示す選択情報をさらに取得し、上記変換部２４は、上記映像信号を、上記規格情報取得部（ＴＶ情報取得部２２）が取得した選択情報の示す映像の規格の映像信号となるよう変換してよい。
【００９８】
上記の構成によれば、本態様に係る変換装置（ＳＴＢ１）は、出力対象の映像信号を、表示装置のユーザが所望するＨＤＲ規格の映像信号に変換することができる。
【００９９】
本発明の態様５に係る変換装置（ＳＴＢ１）は、上記態様１〜４の何れかにおいて、映像フォーマットに従う複数の映像の規格の各々に対応したデータを送信可能な送出機から上記映像信号を取得する受信部（変換部２４）を更に備え、上記映像信号が、上記変換部２４によって上記表示装置（ＴＶ３）が準拠する映像フォーマットに従う映像の規格に変換可能なデータでない場合に、上記受信部（変換部２４）は、上記表示装置（ＴＶ３）が準拠する映像フォーマットに従う映像の規格に変換可能なデータを取得してもよい。
【０１００】
上記の構成によれば、本態様に係る変換装置（ＳＴＢ１）は、表示装置（ＴＶ３）が準拠するＨＤＲ規格に応じて、適切な出力対象の映像信号を取得することができる。
【０１０１】
本発明の態様６に係る変換方法は、映像信号を取得する映像信号取得ステップと、表示装置が対応する映像フォーマットを示す規格情報を取得する規格情報取得ステップと、上記映像信号取得ステップにおいて取得した上記映像信号を規定する第１の映像フォーマットが、上記規格情報取得ステップにおいて取得した規格情報の示す第２の映像フォーマットと異なる場合に、上記第１の映像フォーマットを上記第２の映像フォーマットに変換することによって、上記映像信号を変換する変換ステップとを含んでいる。
【０１０２】
上記の構成によれば、態様１と同様の効果を得ることができる。
【０１０３】
本発明の態様７に係る表示装置（ＴＶ３）は、映像信号を取得する映像信号取得部（変換部２４）と、表示制御部４４が対応する映像フォーマットを示す規格情報を取得する規格情報取得部（変換部２４）と、映像信号取得部（変換部２４）が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換部（変換部２４）とを備えている。
【０１０４】
上記の構成によれば、態様１と同様の効果を得ることができる。
【０１０５】
本発明の各態様に係る信号変換装置は、コンピュータによって実現してもよく、この場合には、コンピュータを上記信号変換装置が備える各部（ソフトウェア要素）として動作させることにより上記信号変換装置をコンピュータにて実現させる信号変換装置のプログラム、およびそれを記録したコンピュータ読み取り可能な記録媒体も、本発明の範疇に入る。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０７】
１      セットトップボックス（ＳＴＢ、変換装置）
３      テレビジョン受像機（ＴＶ、表示装置）
７      送出機
２２    ＴＶ情報取得部（規格情報取得部）
２４    変換部（映像信号取得部、変換部、受信部）
２６    判定部
２８    出力部
２９    規格情報供給部
３４    ＴＶ制御部
４２    ＴＶ情報管理部
４４    表示制御部
１００  表示システム
【図１】
2019047223.tif 000003
【図２】
2019047223.tif 000004
【図３】
2019047223.tif 000005
【図４】
2019047223.tif 000006
【図５】
2019047223.tif 000007
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
映像信号を取得する映像信号取得部と、
表示装置が対応する映像フォーマットを示す規格情報を取得する規格情報取得部と、
映像信号取得部が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換部と
を備え、
上記映像信号を規定する規格および上記表示装置が対応する映像フォーマットを示す規格のうちいずれか一方がＨＤＲ１０であることを特徴とする変換装置。
【請求項２】
上記変換部による映像フォーマットの変換には、上記映像信号に含まれるメタデータを書き換えることによって、上記第２の映像フォーマットのメタデータを生成する処理が含まれることを特徴とする請求項１に記載の変換装置。
【請求項３】
上記変換部による映像フォーマットの変換には、上記映像信号に含まれる画像データを変換することによって、上記第２の映像フォーマットに準拠した画像データを生成する処理が含まれることを特徴とする請求項１又は２に記載の変換装置。
【請求項４】
当該変換装置の出力信号として準拠する、映像フォーマットに従う複数の映像の規格を示す情報を、表示装置に供給する規格情報供給部をさらに備え、
上記規格情報取得部は、何れの映像フォーマットに従う映像の規格が選択されたのかを示す選択情報をさらに取得し、
上記変換部は、上記映像信号を、上記規格情報取得部が取得した選択情報の示す映像の規格の映像信号となるよう変換する、
ことを特徴とする請求項１〜３の何れか１項に記載の変換装置。
【請求項５】
映像フォーマットに従う複数の映像の規格の各々に対応した信号を送信可能な送出機から上記映像信号を取得する受信部を更に備え、
上記映像信号が、上記変換部によって上記表示装置が準拠する映像フォーマットに従う映像の規格に変換可能な信号でない場合に、上記受信部は、上記表示装置が準拠する映像フォーマットに従う映像の規格に変換可能な信号を取得する、
ことを特徴とする請求項１〜４の何れか１項に記載の変換装置。
【請求項６】
映像信号を取得する映像信号取得ステップと、
表示装置が対応する映像フォーマットを示す規格情報を取得する規格情報取得ステップと、
上記映像信号取得ステップにおいて取得した上記映像信号を規定する第１の映像フォーマットが、上記規格情報取得ステップにおいて取得した規格情報の示す第２の映像フォーマットと異なる場合に、上記第１の映像フォーマットを上記第２の映像フォーマットに変換することによって、上記映像信号を変換する変換ステップと
を含み、
上記映像信号を規定する規格および上記表示装置が対応する映像フォーマットを示す規格のうちいずれか一方がＨＤＲ１０である
ことを特徴とする変換方法。
【請求項７】
映像信号を取得する映像信号取得部と、
表示制御部が対応する映像フォーマットを示す規格情報を取得する規格情報取得部と、
映像信号取得部が取得した上記映像信号を規定する第１の映像フォーマットが、上記規格情報取得部が取得した規格情報の示す第２の映像フォーマットと異なる場合に、上記第１の映像フォーマットを上記第２の映像フォーマットに変換することによって、上記映像信号を変換する変換部と、を備え、
上記映像信号を規定する規格および上記表示装置が対応する映像フォーマットを示す規格のうちいずれか一方がＨＤＲ１０である
ことを特徴とする表示装置。
【請求項８】
請求項１に記載の変換装置としてコンピュータを機能させるためのプログラムであって、上記映像信号取得部、上記規格情報取得部、および上記変換部としてコンピュータを機能させるためのプログラム。
【請求項９】
請求項８に記載のプログラムを記録したコンピュータ読み取り可能な記録媒体。